(57)【要約】【課題】  映像の一部分を拡大縮小して再生する映像ズーム処理を行う映像音声再生装置に関し、映像ズーム処理された映像に合わせて、より臨場感のある再生音場を実現することができる映像音声再生装置を提供する。【解決手段】  映像信号を映像ズーム処理する映像信号処理回路と、映像信号とともに再生するマルチチャンネル音声信号の各レベル、ならびに、各遅延時間を変更する音声信号処理回路と、映像信号処理回路および音声信号処理回路を制御する制御回路と、を備え、制御回路が、映像ズーム処理におけるズーム倍率の変更指示を与える場合に、映像信号処理回路が映像ズーム処理を施した映像信号を出力し、音声信号処理回路が、ズーム倍率に基づく所定のレベル変更処理、および、遅延変更処理、を施したマルチチャンネル音声信号を出力する。【選択図】  図２
2010050544.tif 000002
【特許請求の範囲】
【請求項１】
映像の一部分を拡大縮小して再生する映像ズーム処理を行う映像音声再生装置であって、
映像信号を映像ズーム処理する映像信号処理回路と、該映像信号とともに再生するマルチチャンネル音声信号の各レベル、ならびに、各遅延時間を変更する音声信号処理回路と、該映像信号処理回路および該音声信号処理回路を制御する制御回路と、を備え、
該制御回路が、該映像ズーム処理におけるズーム倍率の変更指示を与える場合に、該映像信号処理回路が該映像ズーム処理を施した映像信号を出力し、該音声信号処理回路が、該ズーム倍率に基づく所定のレベル変更処理、および、遅延変更処理、を施した該マルチチャンネル音声信号を出力する、
映像音声再生装置。
【請求項２】
前記制御回路が、１．０倍を超える前記ズーム倍率を変更指示する場合に、
前記音声信号処理回路における該ズーム倍率に基づく前記所定のレベル変更処理および遅延変更処理が、
前方配置のスピーカーから再生する前方信号（前方左信号、前方中央信号、前方右信号）の各レベルを基準値よりも増大し、かつ、後方配置のスピーカーから再生するサラウンド信号（サラウンド左信号、サラウンド右信号）の各レベルを基準値よりも減少させるとともに、該前方中央信号の遅延時間を基準値よりも短くし、かつ、該サラウンド信号の各遅延時間を基準値よりも長くする、
請求項１に記載の映像音声再生装置。
【請求項３】
前記制御回路が、複数の前記ズーム倍率に基づく複数の所定のレベル変更処理と、遅延変更処理と、を記憶しており、
前記音声信号処理回路における該ズーム倍率に基づく前記所定のレベル変更処理および遅延変更処理が、該ズーム倍率が大きくなるに連れて、前記前方信号の各レベルを相対的に増大し、かつ、前記サラウンド信号の各レベルを相対的に減少させるとともに、該前方中央信号の遅延時間を相対的に短くし、かつ、該サラウンド信号の各遅延時間を相対的に長くする、
請求項１または２に記載の映像音声再生装置。
【請求項４】
前記制御回路が、前記映像のズーム領域の中心を示すズーム中心位置を検出し、
該ズーム中心位置が、映像領域を縦方向に分割して規定される中央領域よりも左側の左領域にある場合に、
前記音声信号処理回路における該ズーム倍率に基づく前記所定のレベル変更処理および遅延変更処理が、前方左信号、および、サラウンド左信号の各レベルを基準値よりも増大し、かつ、前方右信号、前方中央信号、および、サラウンド右信号の各レベルを基準値よりも減少させるとともに、該前方中央信号、および、該サラウンド左信号の各遅延時間を基準値よりも短くし、かつ、該サラウンド右信号の各遅延時間を基準値よりも長くし、
該ズーム中心位置が、該中央領域よりも右側の右領域にある場合に、
該所定のレベル変更処理および遅延変更処理が、前方右信号、および、サラウンド右信号の各レベルを基準値よりも増大し、かつ、前方左信号、前方中央信号、および、サラウンド左信号の各レベルを基準値よりも減少させるとともに、該前方中央信号、および、該サラウンド右信号の各遅延時間を基準値よりも短くし、かつ、該サラウンド左信号の各遅延時間を基準値よりも長くする、
請求項１から３のいずれかに記載の映像音声再生装置。
【請求項５】
前記制御回路が検出する前記ズーム中心位置が前記左領域もしくは前記右領域に有る場合に、
前記音声信号処理回路における該ズーム倍率に基づく前記所定のレベル変更処理および遅延変更処理が、該ズーム中心位置が該映像の両端部に近づくに連れて、前記マルチチャンネル音声信号の各レベルの変化量を相対的に増大させるとともに、各遅延時間の変化量を相対的に長くする、
請求項４に記載の映像音声再生装置。
【発明の詳細な説明】
【技術分野】
【０００１】
本発明は、映像の一部分を拡大縮小して再生する映像ズーム処理を行う映像音声再生装置であって、映像信号とともにマルチチャンネル音声信号を再生する映像音声再生装置に関する。
【背景技術】
【０００２】
映画等の音声信号が同期した映像信号を含むコンテンツを再生する場合に、映像信号および音声信号を再生する映像音声再生装置が、映像の一部分を拡大縮小して再生する映像ズーム処理の機能を有することがある。例えば、ユーザーが映像ズーム処理を行うように操作する場合には、この映像音声再生装置からディスプレイ等の映像を表示する機器へ出力される映像信号は、映像ズーム処理して指定の領域が拡大された映像を再生する映像信号に信号処理される。その結果、ユーザーは、映像ズーム処理して拡大して視たい領域の映像を、映像音声再生装置の操作により選択的に視ることができる。
【０００３】
映像信号に映像ズーム処理が施される場合には、映像信号とともに再生する音声信号についても、適切な音声信号処理が施されるのが好ましい。従来には、ズーム率に応じて、フロント側のスピーカーに対応するオーディオ信号と、サラウンド側のスピーカーに対応するオーディオ信号との音量比を制御する制御手段を備え、例えば、制御手段が、ズーム処理が行われているときに、フロント側のスピーカーに対応するオーディオ信号の音量を増加させるとともに、サラウンド側のスピーカーに対応するオーディオ信号の音量を減少させ、上記音量増加および減少の度合いをズーム率が大きくなるほど大きくさせるものがある（特許文献１）。
【０００４】
また、従来には、テレビ会議システムにおいて、ズーム位置に対応して、画像データと音声データとを同期または非同期で出力することにより、画像と音声との間に不自然さを生じさせないようにするものがある（特許文献２）。
【０００５】
【特許文献１】特開２００４−３３６４３０号公報  （第１図）
【特許文献２】特開平６−２７６４２７号公報  （第１図）
【０００６】
しかしながら、従来の方法では、映像ズーム処理して拡大して視たい領域の映像がディスプレイに表示されても、視聴するユーザーにとっては、音声信号により再生される再生音像、ならびに、再生音場の臨場感が不足する場合がある、という問題がある。すなわち、映像信号とともにマルチチャンネル音声信号を再生する場合には、映像ズーム処理された映像に合わせて、マルチチャンネル音声信号のそれぞれのチャンネル信号について音声信号処理を行い、臨場感のある再生音場を実現する必要がある。
【発明の開示】
【発明が解決しようとする課題】
【０００７】
本発明は、上記の従来技術が有する問題を解決するためになされたものであり、その目的は、映像の一部分を拡大縮小して再生する映像ズーム処理を行う映像音声再生装置に関し、映像ズーム処理された映像に合わせて、より臨場感のある再生音場を実現することができる映像音声再生装置を提供することにある。
【課題を解決するための手段】
【０００８】
本発明の映像音声再生装置は、映像の一部分を拡大縮小して再生する映像ズーム処理を行う映像音声再生装置であって、映像信号を映像ズーム処理する映像信号処理回路と、映像信号とともに再生するマルチチャンネル音声信号の各レベル、ならびに、各遅延時間を変更する音声信号処理回路と、映像信号処理回路および音声信号処理回路を制御する制御回路と、を備え、制御回路が、映像ズーム処理におけるズーム倍率の変更指示を与える場合に、映像信号処理回路が映像ズーム処理を施した映像信号を出力し、音声信号処理回路が、ズーム倍率に基づく所定のレベル変更処理、および、遅延変更処理、を施したマルチチャンネル音声信号を出力する。
【０００９】
好ましくは、本発明の映像音声再生装置は、制御回路が、１．０倍を超えるズーム倍率を変更指示する場合に、音声信号処理回路におけるズーム倍率に基づく所定のレベル変更処理および遅延変更処理が、前方配置のスピーカーから再生する前方信号（前方左信号、前方中央信号、前方右信号）の各レベルを基準値よりも増大し、かつ、後方配置のスピーカーから再生するサラウンド信号（サラウンド左信号、サラウンド右信号）の各レベルを基準値よりも減少させるとともに、前方中央信号の遅延時間を基準値よりも短くし、かつ、サラウンド信号の各遅延時間を基準値よりも長くする。
【００１０】
好ましくは、本発明の映像音声再生装置は、制御回路が、複数のズーム倍率に基づく複数の所定のレベル変更処理と、遅延変更処理と、を記憶しており、音声信号処理回路におけるズーム倍率に基づく所定のレベル変更処理および遅延変更処理が、ズーム倍率が大きくなるに連れて、前方信号の各レベルを相対的に増大し、かつ、サラウンド信号の各レベルを相対的に減少させるとともに、前方中央信号の遅延時間を相対的に短くし、かつ、サラウンド信号の各遅延時間を相対的に長くする。
【００１１】
また、好ましくは、本発明の映像音声再生装置は、制御回路が、映像のズーム領域の中心を示すズーム中心位置を検出し、ズーム中心位置が、映像領域を縦方向に分割して規定される中央領域よりも左側の左領域にある場合に、音声信号処理回路におけるズーム倍率に基づく所定のレベル変更処理および遅延変更処理が、前方左信号、および、サラウンド左信号の各レベルを基準値よりも増大し、かつ、前方右信号、前方中央信号、および、サラウンド右信号の各レベルを基準値よりも減少させるとともに、前方中央信号、および、サラウンド左信号の各遅延時間を基準値よりも短くし、かつ、サラウンド右信号の各遅延時間を基準値よりも長くし、ズーム中心位置が、中央領域よりも右側の右領域にある場合に、所定のレベル変更処理および遅延変更処理が、前方右信号、および、サラウンド右信号の各レベルを基準値よりも増大し、かつ、前方左信号、前方中央信号、および、サラウンド左信号の各レベルを基準値よりも減少させるとともに、前方中央信号、および、サラウンド右信号の各遅延時間を基準値よりも短くし、かつ、サラウンド左信号の各遅延時間を基準値よりも長くする。
【００１２】
また、好ましくは、本発明の映像音声再生装置は、制御回路が検出するズーム中心位置が左領域もしくは右領域に有る場合に、音声信号処理回路におけるズーム倍率に基づく所定のレベル変更処理および遅延変更処理が、ズーム中心位置が映像の両端部に近づくに連れて、マルチチャンネル音声信号の各レベルの変化量を相対的に増大させるとともに、各遅延時間の変化量を相対的に長くする。
【００１３】
以下、本発明の作用について説明する。
【００１４】
本発明の映像音声再生装置は、映像音声再生装置は、映像の一部分を拡大縮小して再生する映像ズーム処理を行う映像音声再生装置であって、代表的には、ディスクプレーヤー、もしくは、映像信号に同期した音声信号を音声として再生するＡＶセンターであり、映像信号を映像として再生するモニターと、映像音声再生装置に接続する複数のスピーカーと、とともに映像音声再生システムを構成する。映像音声再生装置は、映像信号を映像ズーム処理する映像信号処理回路と、映像信号とともに再生するマルチチャンネル音声信号の各レベル、ならびに、各遅延時間を変更する音声信号処理回路と、映像信号処理回路および音声信号処理回路を制御する制御回路と、を備える。本発明の映像音声再生装置は、映像信号の映像ズーム処理によって、映像の一部分を拡大縮小してモニターに再生する。
【００１５】
映像音声再生装置の制御回路は、映像ズーム処理におけるズーム倍率の変更指示を与える場合に、映像信号処理回路が映像ズーム処理を施した映像信号を出力し、音声信号処理回路が、ズーム倍率に基づく所定のレベル変更処理、および、遅延変更処理、を施したマルチチャンネル音声信号を出力する。すなわち、映像ズーム処理された映像に合わせて、スピーカーの配置に合わせて各マルチチャンネル音声信号のレベル変更を施すだけでなく、マルチチャンネル音声信号の各遅延時間を変更する。
【００１６】
具体的には、映像音声再生装置の制御回路が、１．０倍を超えるズーム倍率を変更指示する場合には、音声信号処理回路におけるズーム倍率に基づく所定のレベル変更処理および遅延変更処理が、前方配置のスピーカーから再生する前方信号（前方左信号、前方中央信号、前方右信号）の各レベルを基準値よりも増大する。そして、後方配置のスピーカーから再生するサラウンド信号（サラウンド左信号、サラウンド右信号）の各レベルを基準値よりも減少させるとともに、前方中央信号の遅延時間を基準値よりも短くし、かつ、サラウンド信号の各遅延時間を基準値よりも長くする。
【００１７】
したがって、映像を拡大するズーム処理において、より臨場感のある再生音場を実現することができる。ズーム倍率が大きくなるに連れて、前方信号の各レベルを相対的に増大し、かつ、サラウンド信号の各レベルを相対的に減少させるとともに、前方信号の各遅延時間を相対的に短くし、かつ、サラウンド信号の各遅延時間を相対的に長くすることで、さらに臨場感のある再生音場にすることができる。
【００１８】
また、映像のズーム領域の中心を示すズーム中心位置が、映像領域を縦方向に分割して規定される中央領域よりも左側の左領域にある場合、あるいは、中央領域よりも右側の右領域にある場合には、前方信号（前方左信号、前方中央信号、前方右信号）の各レベルおよび各遅延時間を、および、サラウンド信号（サラウンド左信号、サラウンド右信号）の各レベルおよび各遅延時間を、基準値とは左右間で異なるように変更して、よりズーム処理された映像に合致した臨場感のある再生音場にすることができる。ズーム中心位置が映像の両端部に近づくに連れて、マルチチャンネル音声信号の各レベルの変化量を相対的に増大させるとともに、各遅延時間の変化量を相対的に長くすることで、さらに臨場感のある再生音場にすることができる。
【発明の効果】
【００１９】
本発明の映像音声再生装置は、映像の一部分を拡大縮小して再生する映像ズーム処理再生時に、視聴者にとって、より臨場感のある再生音場を実現することができる。
【発明を実施するための最良の形態】
【００２０】
本発明の映像音声再生装置は、映像ズーム処理された映像に合わせて、より臨場感のある再生音場を実現するという目的を、映像信号を映像ズーム処理する映像信号処理回路と、映像信号とともに再生するマルチチャンネル音声信号の各レベル、ならびに、各遅延時間を変更する音声信号処理回路と、映像信号処理回路および音声信号処理回路を制御する制御回路と、を備え、制御回路が、映像ズーム処理におけるズーム倍率の変更指示を与える場合に、映像信号処理回路が映像ズーム処理を施した映像信号を出力し、音声信号処理回路が、ズーム倍率に基づく所定のレベル変更処理、および、遅延変更処理、を施したマルチチャンネル音声信号を出力するようにすることにより、実現した。
【００２１】
以下、本発明の好ましい実施形態による映像音声再生装置について説明するが、本発明はこれらの実施形態には限定されない。
【実施例１】
【００２２】
図１は、本発明の好ましい実施形態による映像音声再生装置を含む映像音声再生システム１００について説明する図である。映像音声再生システム１００は、映像音声再生装置であるＤＶＤプレーヤー１と、ＤＶＤプレーヤー１からの再生信号が入力されるＡＶセンター２と、ＡＶセンター２に接続するモニター装置３と、ＡＶセンター２の増幅回路に接続する複数のスピーカー４１〜４５と、から構成される。映像音声再生システム１００は、視聴位置４に位置する視聴者Pに対して、モニター装置３から映像Ｖを、周囲に配置されたスピーカー４１〜４５から後述するそれぞれの音声を再生し、ＤＶＤプレーヤー１で再生される記録媒体（ＤＶＤディスク）に記録された映像音声コンテンツを再生する。
【００２３】
ここで、複数のスピーカー４１〜４５は、視聴位置４からモニター装置３が配置される方向を正面として、正面方向にセンタースピーカー４１と、左前方方向に左スピーカー４２と、右前方方向に右スピーカー４３と、左後方方向に左サラウンドスピーカー４４と、右後方方向に右サラウンドスピーカー４５と、を含んでおり、いわゆる５チャンネルサラウンド音場を再生する。正面方向のセンタースピーカー４１からはセンターチャンネル音声Ｃが再生され、他のスピーカー４２〜４５からもそれぞれ左チャンネル音声Ｌ、右チャンネル音声Ｒ、左サラウンドチャンネル音声ＬＳ、右サラウンドチャンネル音声ＲＳが再生される。なお、図１においては、明示しているＡＶセンター２とセンタースピーカー４１との接続線を除いて、ＡＶセンター２と他のスピーカー４２〜４５との接続線は、図面の簡略のために省略している。
【００２４】
ＤＶＤプレーヤー１は、その動作を制御するＣＰＵ１０と、記録媒体（ＤＶＤディスク）から記録された同期したビデオ信号ならびにオーディオビットストリームを読みだして再生するディスク駆動部１１と、再生信号を出力する信号処理回路１２と、を含む。また、信号処理回路１２は、映像ズーム処理を行う映像信号処理回路１３と、マルチチャンネル音声の各レベル、ならびに、各遅延時間を変更する音声信号処理回路１４と、を少なくとも含む。ＤＶＤプレーヤー１は、記録媒体（ＤＶＤディスク）から記録されたビデオ信号ならびにオーディオビットストリームを読みだして再生し、後述するＡＶセンター２の入力端子に、ＨＤＭＩで多重化されたビデオ信号ならびにオーディオビットストリームを入力する。信号処理回路１２の音声信号処理回路１４は、オーディオビットストリームを受けてこれを５チャンネルのサラウンド信号データＣ０、Ｌ０、Ｒ０、ＬＳ０およびＲＳ０にデコードするデコード回路と、サラウンド信号データのゲインを調整する積算回路と、サラウンド信号データをそれぞれ遅延させる遅延回路と、遅延回路から遅延されたサラウンド信号データを再びオーディオビットストリームに変換するエンコード回路と、を含む。
【００２５】
なお、もちろん、ＡＶセンター２に入力される同期した映像音声コンテンツの再生データは、ＤＶＤプレーヤー１で再生されるものに限定されず、他の放送を受信する受信機や、インターネットに接続するデータ通信機器であってもよい。
【００２６】
ＡＶセンター２は、ＡＶセンター２の動作を制御するＣＰＵ２０と、入力されたＨＤＭＩで多重化されたビデオ信号ならびにオーディオビットストリームをそれぞれ映像データＶｄと音声データＡｄとに分離して出力する分離回路２１と、分離回路２１の出力を受けて、映像信号およびマルチチャンネル音声信号のデコードを行い、再生する映像Ｖ、ならびに、各マルチチャンネル音声信号との遅延同期をとる信号処理回路２２と、スピーカー４１〜４５に接続する複数の増幅器２３（図１に図示するのはセンターチャンネル音声Ｃ用のみ。）と、を含む。ＣＰＵ２０の制御によって、信号処理回路２２はモニター装置３にＨＤＭＩで映像データＶｄを出力し、その結果、モニター装置３からは映像Ｖが再生される。
【００２７】
また、信号処理回路２２は、音声データＡｄを５チャンネルの音声信号にデコードし、増幅器２３を介して各マルチチャンネル音声信号をそれぞれスピーカー４１〜４５に出力し、センタースピーカー４１からはセンターチャンネル音声Ｃが、左スピーカー４２からは左チャンネル音声Ｌが、右スピーカー４３からは右チャンネル音声Ｒが、左サラウンドスピーカー４４からは左サラウンドチャンネル音声ＬＳが、右サラウンドスピーカー４５からは右サラウンドチャンネル音声ＲＳが、再生される。信号処理回路２２は、ＣＰＵ２０によって動作が制御され、具体的にはＤＳＰ（Digital Signal Processor）、メモリを有する遅延ディレイ回路、デジタル／アナログ変換回路、オペアンプ、等により構成される。
【００２８】
信号処理回路２２は、音声データＡｄを受けてこれを５チャンネルのサラウンド信号データＣ０、Ｌ０、Ｒ０、ＬＳ０およびＲＳ０にデコードするデコード回路と、サラウンド信号データをそれぞれ遅延させる遅延回路と、遅延回路から遅延されたサラウンド信号データをそれぞれアナログ信号の５チャンネルのサラウンド信号Ｃｓ、Ｌｓ、Ｒｓ、ＬＳｓおよびＲＳｓに変換するデジタル／アナログ変換器と、を含む。デジタル／アナログ変換器から出力されたサラウンド信号Ｃｓ、Ｌｓ、Ｒｓ、ＬＳｓおよびＲＳｓは、それぞれＡＶセンター２の複数の増幅器２３へ入力される。
【００２９】
モニター装置３は、モニター装置３の動作を制御するＣＰＵ３０と、映像データＶｄが入力される映像変換回路３１と、映像変換回路３１の出力信号が入力される画面走査回路を含む液晶ディスプレイ３２と、を含む。映像変換回路３１では、映像データＶｄを液晶ディスプレイ３２が表示可能なアナログ映像信号に変換する。例えば、液晶ディスプレイ３２は、横１６に対して縦９の比率を有する画素数：１９２０×１０８０の映像データＶｄを表示可能であり、また、後述する映像のズーム領域の中心を示すズーム中心位置Ｚ０を示すカーソルＣｚを、映像とともに表示する。モニター装置３の液晶ディスプレイ３２は、視聴位置４から距離Ｘの正面方向に配置される。具体的には、映像音声再生システム１００を一般家庭で使用する場合では、距離Ｘもセンタースピーカー４１との距離Ｙにほぼ等しく、約１ｍ〜６ｍ程度が一般的である。
【００３０】
また、センタースピーカー４１を含むスピーカー４１〜４５は、それぞれが配置されるべき音源位置の方向に、視聴位置４から距離Ｙをとって設置される。具体的には、距離Ｙは約１ｍ〜６ｍ程度が一般的なため、スピーカー４１〜４５で再生される各マルチチャンネル音声は、約１〜１８ｍｓｅｃの伝達時間を伴って視聴位置４に到達する。一方、前述のモニター装置３の映像変換回路３１における映像変換に伴う処理時間（約３０〜１００ｍｓｅｃ）は、上述の各マルチチャンネル音声の伝達時間に比較しても、映像Ｖと各マルチチャンネル音声Ｃ、Ｌ、Ｒ、ＬＳ、ＲＳとの同期再生に最も影響が大きい。したがって、ＡＶセンター２の信号処理回路２２は、視聴位置４における映像と音声との同期再生を実現するため、映像よりもいわば早く再生されてしまう音声信号を遅延させる処理を行い、映像とマルチチャンネル音声との同期再生を実現する。
【００３１】
図２は、ＤＶＤプレーヤー１が行う映像ズーム処理を説明する図である。図２（ａ）は、モニター装置３の液晶ディスプレイ３２に表示される映像Ｖについて、映像ズーム処理により拡大表示されるズーム映像Ｖｚを説明する模式図であり、図２（ｂ）は、映像ズーム処理に伴ってマルチチャンネル音声に施す音声信号処理によって、聴取位置Ｓが移動して聴取位置Ｓｚに変化する様子を説明する図である。つまり、本発明のＤＶＤプレーヤー１では、映像ズーム処理によって倍率αに拡大された映像Ｖｚが表示される場合には、映像がズームされることで、視聴者Ｐが、より前方の音像に近づいた様に感じるようにし、聴取位置Ｓがあたかも聴取位置Ｓｚに変化するかのようにマルチチャンネル音声を再生して、臨場感のある再生音場を実現する。
【００３２】
また、図３は、図２と同様に、ＤＶＤプレーヤー１が行う映像ズーム処理を説明する図である。図３（ａ）は、モニター装置３の液晶ディスプレイ３２に表示される映像Ｖについて、映像ズーム処理で拡大表示する領域を示すカーソルウィンドウＣｗと、映像Ｖのズーム領域の中心を示すズーム中心位置を指示するカーソルＣｚを説明する模式図であり、図３（ｂ）は、映像ズーム処理に伴ってマルチチャンネル音声に施す音声信号処理によって、聴取位置Ｓが移動して聴取位置Ｓｚに変化する様子を説明する図である。つまり、本発明のＤＶＤプレーヤー１では、映像ズーム処理によって拡大する映像Ｖｚの中心位置を指示するカーソルＣｚが、画面中央（図示するＺＣの領域）から左右方向に外れて位置している場合（図示するＺＬ1、ＺＬ２、ＺＲ1、ＺＲ２の領域）には、聴取位置Ｓがあたかも横方向の聴取位置Ｓｚに変化するかのようにマルチチャンネル音声を再生して、視聴者Ｐにとって、より臨場感のある再生音場を実現することができる。
【００３３】
図４は、ＤＶＤプレーヤー１が行う映像ズーム処理の方法を説明する図である。図４（ａ）は、ＤＶＤプレーヤー１のＣＰＵ１０が制御する映像ズーム処理を説明するフローチャートであり、図４（ｂ）は、ズーム倍率αによって音声信号処理で変更するゲイン並びに遅延時間を説明する表であり、図４（ｃ）は、カーソルＣｚの位置によって音声信号処理で変更するゲイン並びに遅延時間を説明する表である。なお、記号（ａ１〜ａ３、・・・、ｆ１〜ｆ３、ｍ１〜ｍ５、ｎ１〜ｎ５）は、約±０．５〜６．０ｄＢの範囲でのゲインの絶対値を表し、記号（ｇ１〜ｇ３、・・・、ｌ１〜ｌ３、ｏ１〜ｏ５、ｐ１〜ｐ５）は、約±０．０１〜１．００ｍｓｅｃの範囲での遅延時間の絶対値を表す。ゲインの絶対値（ａ〜ｆ、ｍ、ｎ）は、（ａ＜ｂ＜ｃ＜ｄ＜ｅ＜ｆ、ｎ＜ｍ）という関係を有し、また、遅延時間の絶対値（ｇ〜ｌ、ｏ、ｐ）は、（ｇ＜ｈ＜ｉ＜ｊ＜ｋ＜ｌ、ｐ＜ｏ）という関係を有する。
【００３４】
ＤＶＤプレーヤー１のＣＰＵ１０は、ＤＶＤディスクに記録されているコンテンツを再生する再生時（Ｓ１０１）において、ズーム処理を指定するＺＯＯＭキーを設けている（Ｓ１０２）。ＣＰＵ１０は、視聴者ＰによってＺＯＯＭキーが押されると、信号処理回路１２の映像信号処理回路１３にコマンドを送り、映像信号処理回路１３は、拡大表示する領域を示すカーソルウィンドウＣｗと、映像Ｖのズーム領域の中心を示すズーム中心位置を指示するカーソルＣｚと、をコンテンツの映像Ｖとともに表示する。表示されるカーソルウィンドウＣｗの大きさが、液晶ディスプレイ３２の画面全体の大きさよりも小さくなるほど、ズーム倍率αは１．０倍よりも大きくなる。ＤＶＤプレーヤー１では、例えば、所定のズーム倍率α（１．５倍、２．０倍、２．５倍、３．０倍、３．５倍、４．０倍）で映像ズーム処理を可能にしているので、ＣＰＵ１０は、いずれかのズーム倍率αが選択されたかを検出する。
【００３５】
次に、ＤＶＤプレーヤー１のＣＰＵ１０は、ズーム倍率αに応じて信号処理回路１２の音声信号処理回路１４にコマンドを送り、各マルチチャンネル音声信号のゲイン及び遅延時間を変更する（Ｓ１０３）。図４（ｂ）の表に示すように、ズーム倍率αが、１．０倍を超える場合には、前方配置のスピーカー（つまり、センタースピーカー４１と、左スピーカー４２と、右スピーカー４３。）から再生する前方信号（つまり、センターチャンネル音声Ｃｓと、左チャンネル音声Ｌｓと、右チャンネル音声Ｒｓ。）の各レベルを基準値よりも増大させ、かつ、後方配置のスピーカー（つまり、左サラウンドスピーカー４４および右サラウンドスピーカー４５。）から再生するサラウンド信号（つまり、左サラウンドチャンネル音声ＬＳｓおよび右サラウンドチャンネル音声ＲＳｓ。）の各レベルを基準値よりも減少させる。そして、前方中央信号Ｃｓの遅延時間を基準値よりも短くし、かつ、サラウンド信号（ＬＳｓ、ＲＳｓ）の各遅延時間を基準値よりも長くする。音声信号処理回路１４は、デコードされたサラウンド信号データＣ０、Ｌ０、Ｒ０、ＬＳ０およびＲＳ０について、それぞれゲインを調整する積算回路と、遅延させる遅延回路とを備えているので、ゲイン及び遅延時間を変更することができる。
【００３６】
そして、図４（ｂ）の表に示すように、ズーム倍率αが、１．０倍を超えて大きくなるに連れて、ＤＶＤプレーヤー１のＣＰＵ１０は、ズーム倍率が大きくなるに連れて、前方信号の各レベルを相対的に増大し、かつ、サラウンド信号の各レベルを相対的に減少させるとともに、前方中央信号の各遅延時間を相対的に短くし、かつ、サラウンド信号の各遅延時間を相対的に長くするように、音声信号処理回路１４にコマンドを送る。ズーム倍率αが大きくなれば、視聴者Ｐがより前方の音像に近づいた様に感じるように、前方信号とサラウンド信号とのレベル差が顕著になり、また、視聴者Ｐへの前方からの前方信号による音声と、後方からのサラウンド信号によるサラウンド音声との到来時間差が、さらに大きくなるようにする。
【００３７】
例えば、ズーム倍率αが２．０倍の場合には、センターチャンネル音声Ｃｓを＋ｂ２［ｄＢ］、左チャンネル音声Ｌｓおよび右チャンネル音声Ｒｓを＋ｂ１［ｄＢ］、として、レベルを増大させ、かつ、左サラウンドチャンネル音声ＬＳｓおよび右サラウンドチャンネル音声ＲＳｓを−ｂ３［ｄＢ］、として、レベルを減少させる。そして、センターチャンネル音声Ｃｓを−ｈ１［ｍｓｅｃ］、として、遅延時間を短くし、かつ、左サラウンドチャンネル音声ＬＳｓおよび右サラウンドチャンネル音声ＲＳｓを＋ｈ２［ｍｓｅｃ］、として、各遅延時間を長くする。なお、左チャンネル音声Ｌｓおよび右チャンネル音声Ｒｓは、−ｈ３［ｍｓｅｃ］、として、遅延時間を短くするのが好ましい。
【００３８】
そして、例えば、ズーム倍率αを３．０倍とする場合には、さらに音声信号処理による臨場感を高めるために、センターチャンネル音声Ｃｓを＋ｄ２［ｄＢ］、左チャンネル音声Ｌｓおよび右チャンネル音声Ｒｓを＋ｄ１［ｄＢ］、として、レベルをさらに増大させ、かつ、左サラウンドチャンネル音声ＬＳｓおよび右サラウンドチャンネル音声ＲＳｓを−ｄ３［ｄＢ］、として、レベルをさらに減少させる。そして、センターチャンネル音声Ｃｓを−ｊ１［ｍｓｅｃ］、として、遅延時間をさらに短くし、かつ、左サラウンドチャンネル音声ＬＳｓおよび右サラウンドチャンネル音声ＲＳｓを＋ｊ２［ｍｓｅｃ］、として、各遅延時間をさらに長くする。なお、左チャンネル音声Ｌｓおよび右チャンネル音声Ｒｓは、−ｊ３［ｍｓｅｃ］、として、遅延時間を短くするのが好ましい。
【００３９】
次に、ＤＶＤプレーヤー１のＣＰＵ１０は、映像ズーム処理によって拡大するズーム映像Ｖｚの中心位置を指示するカーソルＣｚが位置する左右方向の位置を検出する（Ｓ１０４）。すなわち、カーソルＣｚが、画面を横方向に分割した画面中央（ＺＣの領域）にあるのか、左右方向に外れて位置している（ＺＣの両側のＺＬ1、ＺＬ２、ＺＲ1、ＺＲ２の領域）を検出して、左右方向の音像定位を変更する。本実施例の場合には、図３（ａ）に示すように、液晶ディスプレイ３２の画面の横方向をほぼ均等に５等分して、中央を左右の音像定位を変更しない領域ＺＣとし、領域ＺＣの左右隣をＺＬ1およびＺＲ1とし、さらにディスプレイ３２の画面の横方向での両端側を、領域ＺＬ２およびＺＲ２としている。
【００４０】
そして、ＤＶＤプレーヤー１のＣＰＵ１０は、カーソルＣｚの位置を検出した結果に基づいて、ズーム倍率αに応じて信号処理回路１２の音声信号処理回路１４にコマンドを送り、各マルチチャンネル音声信号のゲイン及び遅延時間を変更する（Ｓ１０５）。つまり、本発明のＤＶＤプレーヤー１では、図４（ｃ）の表に示すように、ズームされるズーム映像領域が、画面中央（図示するＺＣの領域）から左右方向に外れて位置している場合には、ズーム映像Ｖｚの左右方向と一致するように、聴取位置Ｓを横方向の聴取位置Ｓｚにあたかも変化させるようにマルチチャンネル音声を再生する。そして、画面の両端側である領域ＺＬ２およびＺＲ２の場合には、より左右チャンネル間でのレベル差および時間差が大きくなるようにする。
【００４１】
例えば、ズーム映像Ｖｚの中心位置を指示するカーソルＣｚが、画面中央ＺＣの領域から左隣に位置する領域ＺＬ１にある場合には、左チャンネル音声Ｌｓを＋ｎ１［ｄＢ］、左サラウンドチャンネル音声ＬＳｓを＋ｎ４［ｄＢ］、として、レベルを増大させ、かつ、センターチャンネル音声Ｃｓを−ｎ３［ｄＢ］、右チャンネル音声Ｒｓを−ｎ２［ｄＢ］、右サラウンドチャンネル音声ＲＳｓを−ｎ５［ｄＢ］、として、レベルを減少させる。そして、センターチャンネル音声Ｃｓを−ｐ１［ｍｓｅｃ］、左サラウンドチャンネル音声ＬＳｓを−ｐ２［ｍｓｅｃ］、として、遅延時間を短くし、かつ、右サラウンドチャンネル音声ＲＳｓを＋ｐ３［ｍｓｅｃ］として、各遅延時間を長くする。なお、左チャンネル音声Ｌｓは、−ｐ４［ｍｓｅｃ］、として、遅延時間を短くし、右チャンネル音声Ｒｓは、＋ｐ５［ｍｓｅｃ］、として、遅延時間を長くするのが好ましい。
【００４２】
また、例えば、ズーム映像Ｖｚの中心位置を指示するカーソルＣｚが、画面中央ＺＣの領域から右側に遠く離れて位置する領域ＺＲ２にある場合には、右チャンネル音声Ｒｓを＋ｍ２［ｄＢ］、右サラウンドチャンネル音声ＲＳｓを＋ｍ５［ｄＢ］、として、レベルを増大させ、かつ、センターチャンネル音声Ｃｓを−ｍ３［ｄＢ］、左チャンネル音声Ｌｓを−ｍ１［ｄＢ］、左サラウンドチャンネル音声ＬＳｓを−ｍ４［ｄＢ］、として、レベルを減少させる。そして、センターチャンネル音声Ｃｓを−ｏ１［ｍｓｅｃ］、右サラウンドチャンネル音声ＲＳｓを−ｏ３［ｍｓｅｃ］、として、遅延時間を短くし、かつ、左サラウンドチャンネル音声ＬＳｓを＋ｏ２［ｍｓｅｃ］として、各遅延時間を長くする。なお、左チャンネル音声Ｌｓは、＋ｏ４［ｍｓｅｃ］、として、遅延時間を長くし、右チャンネル音声Ｒｓは、−ｏ５［ｍｓｅｃ］、として、遅延時間を短くするのが好ましい。
【００４３】
最後に、ＣＰＵ１０は、信号処理回路１２の音声信号処理回路１４に、上記の設定の変更を有効にするコマンドを送る（Ｓ１０６）。好ましくは、雑音・ノイズを視聴者Ｐに感知させないように、ゲインおよび遅延時間の設定の切換時にミュートを掛けて、発生する設定の変更を有効にするコマンドを送った後にミュートを解除する。その結果、ＤＶＤプレーヤー１は、ズームされたズーム映像Ｖｚとともに、音声信号処理を施したマルチチャンネル音声を再生し、視聴者Ｐにとって、より臨場感のある再生音場を実現する。
【００４４】
また、ＣＰＵ１０では、図４（ｂ）の実施例の場合に限定されず、信号処理回路１２の映像信号処理回路１３で行う映像ズーム処理のズーム倍率αをさらに細かく段階的に設定し、これに対応して、音声信号処理回路１４でのゲインおよび遅延時間の設定の変更を、さらに細かく段階的に設定してもよい。また、図３（ａ）および図４（ｃ）の実施例の場合に限定されず、液晶ディスプレイ３２の画面の横方向を７等分以上に分割して、音声信号処理回路１４でのゲインおよび遅延時間の設定の変更を、さらに細かく段階的に設定してもよい。
【００４５】
なお、ＤＶＤプレーヤー１と、ＡＶセンター２と、モニター装置３との信号伝送方式は、ＨＤＭＩの他にも、有線や無線の接続に限らず、ＩＥＥＥ１３９４等の伝送方式であってもよい。また、ＤＶＤプレーヤー１に限られず、ＡＶセンター２が映像ズーム処理を実行できる場合には、ＡＶセンター２が備える信号処理回路の映像信号処理回路および音声信号処理回路を用いてもよい。
【００４６】
また、マルチチャンネルサラウンド音声が、本実施例の５チャンネルよりも多いチャンネル数を有する場合であっても、それぞれに適切なゲインおよび遅延時間の設定の変更を設定すればよい。
【産業上の利用可能性】
【００４７】
本発明の映像音声再生装置は、ＤＶＤプレーヤーのみならず、テレビジョンチューナー、増幅器を内蔵するマルチチャンネル音声再生用のＡＶセンター、増幅器を備えないコントロールアンプ、等にも適用が可能である。
【図面の簡単な説明】
【００４８】
【図１】本発明の好ましい実施形態による映像音声再生システムについて説明する図である。（実施例１）
【図２】本発明のＤＶＤプレーヤー１が行う映像ズーム処理を説明する図である。（実施例１）
【図３】本発明のＤＶＤプレーヤー１が行う映像ズーム処理を説明する図である。（実施例１）
【図４】本発明のＤＶＤプレーヤー１が行う映像ズーム処理の方法を説明する図である。（実施例１）
【符号の説明】
【００４９】
１            ＤＶＤプレーヤー
１０          ＣＰＵ
１１          ディスク駆動部
１２          信号処理回路
１３          映像信号処理回路
１４          音声信号処理回路
２            ＡＶセンター
２０          ＣＰＵ
２１          分離回路
２２          信号処理回路
２３          増幅器
３            モニター装置
３０          ＣＰＵ
３１          映像変換回路
３２          液晶ディスプレイ
４１          センタースピーカー
４２          左スピーカー
４３          右スピーカー
４４          サラウンド左スピーカー
４５          サラウンド右スピーカー
１００        映像音声再生システム
【図１】
2010050544.tif 000003
【図４】
2010050544.tif 000004
【図２】
2010050544.tif 000005
【図３】
2010050544.tif 000006